(57)【特許請求の範囲】
【請求項１】
液槽内の洗浄液に浸漬されて回転するワイピングローラの周面に洗浄ユニットのワイパパッドを液中で対接させてワイピングローラに転移したインキを拭き取る印刷機のワイピング装置において、
前記洗浄ユニットを支持するレバー機構と、
前記レバー機構を介して洗浄ユニットをワイピングローラに押し付ける流体圧アクチュエータと、
前記流体圧アクチュエータの動作限位置を変更する接触圧調整機構とを備え、
前記レバー機構は、前記洗浄ユニットのホルダを先端部で揺動自在に支持するアームと一端側が前記アームにその長さ方向に所定の間隔をおいて回動自在に連結され他端側が液槽側壁に所定の間隔をおいて回動自在に支持された二つのレバーとを備えると共に、二つの前記レバーが平行でかつ各々の前記アームとの連結部の回動中心点から前記液槽側壁への支持部の回動中心点までの長さが同一となる平行リンクを形成し、
前記流体圧アクチュエータは前記平行リンクの前記液槽側壁への支持部に連結され、
前記洗浄ユニットがその接触圧調整の際にはワイピングローラの半径方向に略直線的に動作するべく、前記平行リンクを構成する前記アームをその長さ方向が前記ワイピングローラの回転中心に向くように配設したことを特徴とする印刷機のワイピング装置。
【発明の詳細な説明】
【０００１】
【発明の属する技術分野】
本発明は、版面に転移された余分のインキを拭き取るワイピング装置に関する。
【０００２】
【従来の技術】
一般に、凹版印刷機による印刷作業は、インキ装置によって凹版胴上に装着した凹版面にインキを転移させ、この転移したインキのうちの絵柄部分以外の箇所に付着したインキを凹版面に対接して回転するワイピングローラで拭き取った後、凹版胴と圧胴との間を通過する紙に、残った絵柄部分のインキを転移させて印刷を施すものである。
【０００３】
そして、ワイピングローラは液槽内に入れた溶剤などの洗浄液に浸漬されて回転していると共に、液内のワイピングローラ周面にはその軸方向へ延びる複数個のブラシが対接されており、拭き取りによってワイピングローラに転移したインキは、このブラシと洗浄液との洗浄作用で取り除かれて洗浄液で溶解される。
【０００４】
図６に、従来のワイピング装置の断面図を示す。
これによれば、液槽１内には洗浄液２が蓄えられており、ワイピングローラ３は、この洗浄液２に下半部を浸漬して液槽１に回動自在に軸支されていると共に、凹版胴４に装着された凹版面に周面を対接させて接触点においてはこれと逆方向に回転している。
【０００５】
液槽１の左，右両側壁間には、アーム支軸６が回動自在に軸支され、このアーム支軸６には、左右一対の揺動アーム７が固定されている。これら揺動アーム７の遊端部にはワイピングローラ３よりもやや長いブラシ受支軸８が回動自在に軸支されている。
【０００６】
ブラシ受支軸８には、左右一対の円弧状のブラシ受９が固定され、これらブラシ受９間には前後一対のブラシ軸１０が支架されている。全体を符号１１で示すものは前後一対のメインブラシであって、各ブラシ軸１０の両端部に固定されたホルダ１２と、該ホルダ１２で両端を支持され毛先をワイピングローラ３の周面に近接させた複数列のブラシ１３とで形成されており、両方のメインブラシ１１のブラシ１３毛先とワイピングローラ３の周面との間には、合成繊維製不織布で形成されたワイパパッド１４がワイピングローラ３で全長にわたって介装されブラシ１３の側面にプレート１５とボルト１６とで固定されている。
【０００７】
このようにして支持されたメインブラシ１１には、ワイピングローラ３に対する圧力の調整装置が付設されている。即ち、前記アーム支軸６の下方には、ウォーム軸１７が、液槽１の側壁とこれに固定されたブラケット１８とに軸支されており、このウォーム軸１７上のウォーム１９は、アーム支軸６上に固定された扇形状のウォームホイール２０と噛合されている。ウォーム軸１７の外端にはハンドル２１が装着されており、これを回動操作することにより、ウォーム１９とウォームホイール２０とを介して揺動アーム７が揺動し、メインブラシ１１を覆うワイパパッド１４のワイピングローラ３への圧力が調節されるよう構成されている。
【０００８】
さらに、ワイピングローラ３の両側斜め下方には、それぞれ左右一対ずつの枢軸２２及び２３が液槽１の側壁に軸支されており、その内端にはブラシアーム２４及び２５が固定されている。このうち片側一対のブラシアーム２４に設けられた軸受部間には、ブラシ軸２６が回動自在に支架されている。このブラシ軸２６には、前記メインブラシ１１と同構成のプレブラシ２７が、これを覆う前記ワイパパッド１４と同構成のワイパパッド２８をワイピングローラ３の周面に対接させて固定されている。また、他方一対のブラシアーム２５に設けられた軸受部間には、ブラシ軸２９が回動自在に支架されており、このブラシ軸２９には、同じくワイパパッド３０を備えたプレブラシ２７と同構成のリヤブラシ３１が固定されている。
【０００９】
このようにして支持された両ブラシ２７，３１には、ワイピングローラ３に対する圧力の調整装置が付設されている。即ち、前記枢軸２２，２３の外端には、レバー３２，３３がそれぞれ軸着されており、各レバー３２，３３に枢着されたロッド３４，３５の他端ねじ部は、槽外の調整ねじ３６，３７に連繋されている。そして、これら調整ねじ３６，３７を軸方向への移動を規制しながら回動させることによりロッド３４，３５が進退し、レバー３２，３３とブラシアーム２４，２５とを介してプレブラシ２７とリヤブラシ３１とのワイピングローラ３への圧力がそれぞれ別個に調節されるように構成されている。尚、図中３８，３９及び４０は、それぞれメインブラシ１１，プレブラシ２７及びリヤブラシ３１の傾斜角度を調節する調節ボルトである。
【００１０】
また、図中４１は、液槽１の上面にハンドル４２付きのボルトで固定されたドクタであってその先端部には、先端をワイピングローラ３の周面に対接させてこれに付着した洗浄液２を掻き落とす鋼板製のドクターブレード４３が固定されている。
【００１１】
以上のように構成されたワイピング装置において、凹版胴４上の凹版５には、インキ装置によって凹溝状の絵柄部分とそれ以外の部分とにインキが転移され、絵柄部分以外のインキは、凹版胴４と反対方向へ回転するワイピングローラ３で拭き取られてその周面に付着する。ワイピングローラ３は、その下半部を洗浄液２内に浸漬されており、その浸漬部周面には、４個のブラシ２７，１１，１１及び３１を覆うワイパパッド２８，１４及び３０が対接しているので、ワイピングによりワイピングローラ３の周面に付着したインキは、各ワイパパッド２８，１４及び３０に滲透した洗浄液２の溶解作用とワイパパッド２８，１４及び３０の押圧作用とで取り除かれる。そして、インキが洗い落とされたワイピングローラ３は、洗浄液２のみを周面に付着させて持ち回るが、そこにはドクターブレード４３が設けられているので、持ち回りされた洗浄液はこれらで掻き落とされ、ワイピングローラ３はインキの拭き取り動作を続ける。
【００１２】
【発明が解決しようとする課題】
ところで、上述した従来のワイピング装置で印刷中に、メインブラシ１１，１１やプレ及びリヤブラシ２７，３１（以下洗浄ユニットと言う）をハンドル２１や調整ねじ３６，３７にて調整を行うと、前記各洗浄ユニットを支持する揺動アーム７やブラシアーム２４，２５が図中矢印に示すように円弧状に動作するため、ワイピングローラ３に接触している各ワイパパッド１４，２８及び３０のくわえ側（ワイピングローラ３の回転方向上流側）と尻側（ワイピングローラ３の回転方向下流側）とで接触圧が異なってしまい、片当たり等で拭き取り作用が低下するという問題点があった。
【００１３】
そこで、本発明の目的は、印刷中の圧力調整下において洗浄ユニットのくわえ側と尻側の接触圧を一定に保てると共に洗浄ユニットを支持するアームの位置制御も可能な印刷機のワイピング装置を提供することにある。
【００１４】
【課題を解決するための手段】
前記目的を達成するために、本発明に係る印刷機のワイピング装置は、液槽内の洗浄液に浸漬されて回転するワイピングローラの周面に洗浄ユニットのワイパパッドを液中で対接させてワイピングローラに転移したインキを拭き取る印刷機のワイピング装置において、前記洗浄ユニットを支持するレバー機構と、前記レバー機構を介して洗浄ユニットをワイピングローラに押し付ける流体圧アクチュエータと、前記流体圧アクチュエータの動作限位置を変更する接触圧調整機構とを備え、前記レバー機構は、前記洗浄ユニットのホルダを先端部で揺動自在に支持するアームと一端側が前記アームにその長さ方向に所定の間隔をおいて回動自在に連結され他端側が液槽側壁に所定の間隔をおいて回動自在に支持された二つのレバーとを備えると共に、二つの前記レバーが平行でかつ各々の前記アームとの連結部の回動中心点から前記液槽側壁への支持部の回動中心点までの長さが同一となる平行リンクを形成し、前記流体圧アクチュエータは前記平行リンクの前記液槽側壁への支持部に連結され、前記洗浄ユニットがその接触圧調整の際にはワイピングローラの半径方向に略直線的に動作するべく、前記平行リンクを構成する前記アームをその長さ方向が前記ワイピングローラの回転中心に向くように配設したことを特徴とする。
【００１５】
［作用］
前記構成によれば、ワイピングローラに対する圧力調整下においても、洗浄ユニットのワイピングローラの回転方向上流側と回転方向下流側との接触圧が異ならなく又、ワイパパッド等にへたりが発生しても常に一定の接触圧が保たれ、安定したインキ拭き取り作用が得られる。
【００１６】
【発明の実施の形態】
本発明に係る印刷機のワイピング装置を実施例により詳細に説明する。
【００１７】
［実施例］
図１は凹版印刷機のワイピング装置部の断面図、図２はアーム構造部の展開平断面図、図３は駆動部の側面図、図４は駆動部の詳細説明図、図５は同じく駆動部の一部を破断した詳細説明図である。
【００１８】
図１に示すように、装置本体５０が一体形成された液槽５１内には洗浄液５５が蓄えられており、ワイピングローラ５６は、この洗浄液５５に下半部を浸漬して液槽５１に回動自在に軸支されていると共に、凹版胴５７に装着された凹版５８の表面に周面を対接させて接触点においてはこれと逆方向に回転している。
【００１９】
前記ワイピングローラ５６は、液槽５１の左，右両側壁外面にそれぞれ付設した油圧シリンダ６０の伸縮により偏心軸受６１を介して凹版胴５７に対し着脱可能になっていると共に、前記油圧シリンダ６０に隣接して設けた調整モータ６２の回転によりギヤ機構６３やねじ機構６４等を介して油圧シリンダ６０自体が僅かに進退することで、同じく偏心軸受６１を介して凹版胴５７に対するニップ圧が微調整可能となっている（図３参照）。
【００２０】
回転方向下流側（図中左側）に位置して液槽５１外への洗浄液の持ち回りを防止するドクタ６６がそれぞれ配設される。
【００２１】
ドクタ６６はカム板７４ａとカムフォロア７４ｂとの係合により、ワイピングローラ５６が凹版胴５７に対し着脱する際に、それぞれ追従して動作し得るようになっている（図３参照）。
【００２２】
液槽５１の左，右両側壁内面には、それぞれ二組のレバー機構７６ａ，７６ｂが付設され、一方のレバー機構７６ａにメインブラシ７７が、また他方のレバー機構７６ｂにはプレブラシ７８がそれぞれ支持されている（図１及び図２参照）。
【００２３】
詳述すると、二組のレバー機構７６ａ，７６ｂにおける左，右両ブラシアーム７９ａ，７９ａ間及び７９ｂ，７９ｂ間にはワイピングローラ５６よりもやや長いブラシ受支軸８０ａ，８０ｂが回動自在でかつ調節部８１ａ，８１ｂにて所定の傾斜角度で位置決め，固定可能に軸支されている。
【００２４】
前記ブラシ受支軸８０ａ，８０ｂには、枠状のホルダ８２ａ，８２ｂがそれぞれ固定され、これらのホルダ８２ａ，８２ｂに毛先をワイピングローラ５６の周面に近接させた複数列のブラシ８３ａ，８３ｂがそれぞれ支持されてメインブラシ７７とプレブラシ７８とが形成されている。
【００２５】
そして、前記ブラシ８３ａ，８３ｂの毛先とワイピングローラ５６の周面との間には、合成繊維製不織布で形成されたワイパパッド８４ａ，８４ｂがワイピングローラ５６の全長にわたって介装され、ホルダ８２ａ，８２ｂの側面にくわえ側（ワイピングローラ５６の回転方向上流側）はフック８５ａ，８５ｂで尻側（ワイピングローラ５６の回転方向下流側）は圧縮コイルばね８６ａ，８６ｂでそれぞれ固定されている。このワイパパッド８４ａ，８４ｂとメインブラシ７７及びプレブラシ７８とでそれぞれ洗浄ユニット８７ａ，８７ｂが形成される。
【００２６】
前記レバー機構７６ａ，７６ｂは、液槽５１の側壁に枢軸８８ａ，８８ｂ及び８９ａ，８９ｂを介して一端が回動自在に支持された同長の駆動レバー９０ａ，９０ｂ及び案内レバー９１ａ，９１ｂの他端が前記ブラシアーム７９ａ，７９ｂにピン９２ａ，９２ｂ及び９３ａ，９３ｂを介して回動自在に連結されて、所謂平行リンクを形成し、各洗浄ユニット８７ａ，８７ｂのワイピングローラ５６に対する接触圧調整時には、ワイピングローラ５６の半径方向に向かって各洗浄ユニット８７ａ，８７ｂがほぼ直線的に動作をするようになっている。即ち、前記駆動レバー９０ａ，９０ｂ及び案内レバー９１ａ，９１ｂにおけるブラシアーム７９ａ，７９ｂとの連結部の回動中心（９２ａ，９２ｂ及び９３ａ，９３ｂ）と液槽側壁の支持部の回動中心（８８ａ，８８ｂ及び８９ａ，８９ｂ）までの長さが同一になるよう設定されるのである。
【００２７】
前記各駆動レバー９０ａ，９０ｂの枢軸８８ａ，８８ｂには、液槽５１の側壁外面に位置してクランクレバー９４ａ，９４ｂの上端が連結，固定され、これらのクランクレバー９４ａ，９４ｂの下端には液槽５１の側壁外面にブラケット９５ａ，９５ｂを介して取り付けた油圧シリンダ９６ａ，９６ｂのピストンロッド先端がピン結合している（図４参照）。
【００２８】
前記ブラケット９５ａ，９５ｂには、油圧シリンダ９６ａ，９６ｂに隣接して油圧シリンダ位置制御用のモータ９７ａ，９７ｂが取り付けられ、これらのモータ９７ａ，９７ｂの出力軸に固設したギヤ９８ａ，９８ｂが前記油圧シリンダ９６ａ，９６ｂのピストンロッドに遊嵌して前記ブラケット９５ａ，９５ｂの雌ねじ部９９ａ，９９ｂに螺合したギヤ１００ａ，１００ｂと噛合している（図５参照）。尚、モータ９７ａ，９７ｂは、図示しないスイッチにより遠隔操作で動作可能になっている。
【００２９】
前記油圧シリンダ９６ａ，９６ｂのピストンロッド後端には、前記ギヤ１００ａ，１００ｂと当接することで油圧シリンダ９６ａ，９６ｂの伸び側ストロークを機械的に阻止するためのストッパ１０１ａ，１０１ｂが固着され、印刷時にはギヤ１００ａ，１００ｂの位置を動かし調整することにより、油圧シリンダ９６ａ，９６ｂの伸び側の動作限位置を調整し、洗浄ユニット８７ａ，８７ｂのワイピングローラに対する接触状態を調整できるようになっている。
【００３０】
前記クランクレバー９４ａ，９４ｂの上端が連結した枢軸８８ａ，８８ｂの外端面にはポテンショメータ１０２ａ，１０２ｂが組み付けられ、枢軸８８ａ，８８ｂの回転角を検出することで、前記各洗浄ユニット８７ａ，８７ｂの位置を図示しない表示装置に表示させるようになっている。尚、図３及び図５中１０３ａ，１０３ｂは前記ギヤ１００ａ，１００ｂのそれ以上の移動を禁止するためにギヤ１００ａ，１００ｂを検出し、モータ９７ａ，９７ｂを停止させるための近接センサである。
【００３１】
以上のように構成されたワイピング装置において、インキ装置によって凹版胴５７上に装着された凹版５８の表面の凹溝状の絵柄部分とそれ以外の部分とにインキが転移され、絵柄部分以外のインキは、凹版胴５７と接触点で反対方向へ回転するワイピングローラ５６で拭き取られてその周面に付着する。
【００３２】
ワイピングローラ５６の下半部は洗浄液５５内に浸漬されており、その浸漬部周面には、二つの洗浄ユニット８７ａ，８７ｂのワイパパッド８４ａ，８４ｂが対接しているので、ワイピングローラ５６の周面に付着したインキは、各ワイパパッド８４ａ，８４ｂに滲透した洗浄液５５の溶解作用とワイパパッド８４ａ，８４ｂの押圧作用とで取り除かれる。
【００３３】
インキが洗い落とされたワイピングローラ５６は、洗浄液５５のみを周面に付着させて持ち回るが、そこにはドクタ６６が設けられているので、持ち回りされた洗浄液はこれらドクタ６６にて掻き落とされ、ワイピングローラ５６はインキの拭き取り動作を続ける。
【００３４】
そして、前記二つの洗浄ユニット８７ａ，８７ｂは、ワイピングローラ５６の半径方向に向かってほぼ直線的に動作をするレバー機構７６ａ，７６ｂで支持されているため、印刷中に図示しないスイッチの操作によりモータ９７ａ，９７ｂを回して、ブラケット９５ａ，９５ｂの雌ねじ部９９ａ，９９ｂに螺合したギヤ１００ａ，１００ｂを軸方向に動かし、ストッパ１０１ａ、１０１ｂの位置を変えることにより各洗浄ユニット８７ａ，８７ｂのワイピングローラ５６に対する接触圧を調整でき適切な状態を設定できるとともに、ワイパパッド８４ａ，８４ｂにへたりが生じても安定した洗浄作用が得られる。
【００３５】
前記調整動作は、ポテンショメータ１０２ａ，１０２ｂにより枢軸８８ａ，８８ｂの回転角で検出され、これにより、図示しない表示装置により、各洗浄ユニット８７ａ，８７ｂの現在位置が判るため、所望の位置に置くことができる。
【００３６】
前記ワイパパッド８４ａ，８４ｂの交換の際には、機械を止め、油圧シリンダ６０を作動してワイピングローラ５６を凹版胴５７から離脱すると共に固定装置５４を外した後、油圧シリンダ５２を作動して装置本体５０を機外の側方へ移動させ、広い作業空間の下で行う。
【００３７】
【発明の効果】
以上説明したように本発明によれば、液槽内の洗浄液に浸漬されて回転するワイピングローラの周面に洗浄ユニットのワイパパッドを液中で対接させてワイピングローラに転移したインキを拭き取る印刷機のワイピング装置において、前記洗浄ユニットを支持するレバー機構と、前記レバー機構を介して洗浄ユニットをワイピングローラに押し付ける流体圧アクチュエータと、前記流体圧アクチュエータの動作限位置を変更する接触圧調整機構とを備え、前記レバー機構は、前記洗浄ユニットのホルダを先端部で揺動自在に支持するアームと一端側が前記アームにその長さ方向に所定の間隔をおいて回動自在に連結され他端側が液槽側壁に所定の間隔をおいて回動自在に支持された二つのレバーとを備えると共に、二つの前記レバーが平行でかつ各々の前記アームとの連結部の回動中心点から前記液槽側壁への支持部の回動中心点までの長さが同一となる平行リンクを形成し、前記流体圧アクチュエータは前記平行リンクの前記液槽側壁への支持部に連結され、前記洗浄ユニットがその接触圧調整の際にはワイピングローラの半径方向に略直線的に動作するべく、前記平行リンクを構成する前記アームをその長さ方向が前記ワイピングローラの回転中心に向くように配設したので、容易に接触圧調整が行えると共にワイピングローラが凹版胴より拭き取ったインキを安定して洗浄ユニット部で拭き取ることができ、印刷品質及び生産性が向上すると共に、印刷中に洗浄ユニットの調整を行っても、片当たりしないことから洗浄部品の寿命が延びる利点もある。また、従来のアーム支軸や揺動アーム等が不要となるため、洗浄ユニットの取付・取外し作業が容易になる利点もある。
【図面の簡単な説明】
【図１】本発明の一実施例を示す印刷機のワイピング装置部の断面図である。
【図２】同じくアーム構造部の展開平断面図である。
【図３】同じく駆動部の側面図である。
【図４】同じく駆動部の詳細説明図である。
【図５】同じく駆動部の一部を破断した詳細説明図である。
【図６】従来の印刷機のワイピング装置部の断面図である。
【符号の説明】
５０  装置本体
５１  液槽
５５  洗浄液
５６  ワイピングローラ
５７  凹版胴
７６ａ，７６ｂ  レバー機構
７７  メインブラシ
７８  プレブラシ
７９ａ，７９ｂ  ブラシアーム
８０ａ，８０ｂ  ブラシ受支軸
８２ａ，８２ｂ  ホルダ
８３ａ，８３ｂ  ブラシ
８４ａ，８４ｂ  ワイパパッド
８５ａ，８５ｂ  フック
８６ａ，８６ｂ  圧縮コイルばね
８７ａ，８７ｂ  洗浄ユニット
９０ａ，９０ｂ  駆動レバー
９１ａ，９１ｂ  案内レバー
９４ａ，９４ｂ  クランクレバー
９６ａ，９６ｂ  油圧シリンダ
９７ａ，９７ｂ  モータ
９８ａ，９８ｂ  ギヤ
９９ａ，９９ｂ  雌ねじ部
１００ａ，１００ｂ  ギヤ
１０１ａ，１０１ｂ  ストッパ
１０２ａ，１０２ｂ  ポテンショメータ
１０３ａ，１０３ｂ  近接センサ
【図１】
0003765069.tif 000002
【図２】
0003765069.tif 000003
【図３】
0003765069.tif 000004
【図４】
0003765069.tif 000005
【図５】
0003765069.tif 000006
【図６】
0003765069.tif 000007